【手続補正書】
【提出日】平成16年12月22日(2004.12.22)
【手続補正１】
【補正対象書類名】明細書
【補正対象項目名】発明の名称
【補正方法】変更
【補正の内容】
【発明の名称】異常検知システム
【手続補正２】
【補正対象書類名】明細書
【補正対象項目名】特許請求の範囲
【補正方法】変更
【補正の内容】
【特許請求の範囲】
【請求項１】
現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を統計的手法により処理して現像剤残量として確定する処理手段と、前記統計的手法により確定した現像剤残量と前記記憶手段に記憶されている現像剤残量とを比較する比較手段と、を備えた画像形成装置における画像形成装置及び／又は前記画像形成装置に用いられるカートリッジの異常検知システムであって、
前記比較手段の比較の結果、前記統計的手法により確定した現像剤残量と前記記憶手段に記憶されている現像剤残量との差の値が所定量より大きい場合、現像剤残量の確認のための所定の現像剤残量検出動作を行ない、
前記確認のための現像剤残量検出動作の結果においても前記比較手段の比較の結果、前記所定の前記現像剤残量検出動作による現像剤残量と前記記憶手段に記憶されている現像剤残量との差の値が所定量より大きい場合、画像形成装置及び／又は前記カートリッジの異常と判断し、
前記画像形成装置が備える情報表示部、或いは、前記画像形成装置と通信可能なディスプレイを有する機器に異常を判断したことを示す情報を出力する、ことを特徴と前記異常検知システム。
【請求項２】
現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を第１の統計的手法により処理して現像剤残量を確定する処理手段と、前記第１の統計的手法により確定した現像剤残量と前記記憶手段に記憶されている現像剤残量とを比較する比較手段と、を備えた画像形成装置における画像形成装置及び／又は前記画像形成装置に用いられるカートリッジの異常検知システムであって、
前記現像剤残量検知手段の検知出力を、前記統計的手法とは異なる第２の統計的手法により、現像剤残量を確定処理し、
前記確定した現像剤残量と前記記憶手段に記憶されている現像剤残量とを比較し、
前記比較手段の比較の結果、前記確定した現像剤残量と前記記憶手段に記憶されている現像剤残量との差の値が所定量より大きい場合、現像剤残量の確認のための所定の現像剤残量検出動作を行ない、
前記確認のための現像剤残量検出動作の結果においても前記比較手段の比較の結果、前記所定の現像剤残量検出動作による現像剤残量と前記記憶手段に記憶されている現像剤残量との差の値が所定量より大きい場合、画像形成装置及び／又はカートリッジの異常と判断し、
前記画像形成装置が備える情報表示部、或いは、前記画像形成装置と通信可能なディスプレイを有する機器に異常を判断したことを示す情報を出力する、ことを特徴と前記異常検知システム。
【請求項３】
前記現像剤残量の確定処理は、画像形成装置本体の電源投入時、及び、カートリッジ交換のためのドアクローズ時に行なわれるイニシャル回転中に検出された検出出力の値について確定処理を行ない、確認のための現像剤残量検出動作としてイニシャル回転を再度行ない、画像形成装置及び／又は前記カートリッジの異常と判断されない場合に画像形成装置がプリント可能となることを特徴とする請求項２の異常検知システム。
【請求項４】
前記現像剤残量の確定処理は、画像形成装置本体の電源投入時、及び、カートリッジ交換のためのドアクローズ後に、カートリッジが従来使用されていたものから交換された場合のイニシャル回転中に検出された検出出力の値について確定処理を行ない、確認のための現像剤残量検出動作としてイニシャル回転を再度行ない、画像形成装置及び／又はカートリッジの異常と判断されない場合に画像形成装置がプリント可能となることを特徴とする請求項２又は３の異常検知システム。
【請求項５】
前記画像形成装置はページ記述言語で表された画像情報を展開する展開手段と、展開された画像情報に基づき出力画像を形成する画像形成手段とを有しており、前記比較手段は前記展開手段に備えられることを特徴とする請求項１〜４のいずれかの項に記載の異常検知システム。
【手続補正３】
【補正対象書類名】明細書
【補正対象項目名】０００１
【補正方法】変更
【補正の内容】
【０００１】
【発明の属する技術分野】
本発明は、一般には、電子写真方式により像担持体に静電潜像を形成し、この静電潜像を現像装置に収容した現像剤にて顕像化する画像形成装置、或はこの画像形成装置に着脱可能なカートリッジ、即ち、プロセスカートリッジやカートリッジ化された現像装置などの異常検知システムに関するものである。


【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
【課題を解決するための手段】
上記目的は本発明に係る異常検知システムにて達成される。要約すれば、本発明の第１の態様によると、現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を統計的手法により処理して現像剤残量として確定する処理手段と、前記統計的手法により確定した現像剤残量と前記記憶手段に記憶されている現像剤残量とを比較する比較手段と、を備えた画像形成装置における画像形成装置及び／又は前記画像形成装置に用いられるカートリッジの異常検知システムであって、
前記比較手段の比較の結果、前記統計的手法により確定した現像剤残量と前記記憶手段に記憶されている現像剤残量との差の値が所定量より大きい場合、現像剤残量の確認のための所定の現像剤残量検出動作を行ない、
前記確認のための現像剤残量検出動作の結果においても前記比較手段の比較の結果、前記所定の前記現像剤残量検出動作による現像剤残量と前記記憶手段に記憶されている現像剤残量との差の値が所定量より大きい場合、画像形成装置及び／又は前記カートリッジの異常と判断し、
前記画像形成装置が備える情報表示部、或いは、前記画像形成装置と通信可能なディスプレイを有する機器に異常を判断したことを示す情報を出力する、ことを特徴と前記異常検知システムが提供される。


【手続補正６】
【補正対象書類名】明細書
【補正対象項目名】００１５
【補正方法】変更
【補正の内容】
【００１５】
本発明の第２の態様によると、現像剤収納容器と、前記現像剤収納容器内の現像剤残量を逐次検知できる現像剤残量検知手段と、現像剤残量に係わる情報を記憶する記憶手段と、を有するカートリッジが着脱自在であり、前記現像剤残量検知手段からの検知出力を第１の統計的手法により処理して現像剤残量を確定する処理手段と、前記第１の統計的手法により確定した現像剤残量と前記記憶手段に記憶されている現像剤残量とを比較する比較手段と、を備えた画像形成装置における画像形成装置及び／又は前記画像形成装置に用いられるカートリッジの異常検知システムであって、
前記現像剤残量検知手段の検知出力を、前記統計的手法とは異なる第２の統計的手法により、現像剤残量を確定処理し、
前記確定した現像剤残量と前記記憶手段に記憶されている現像剤残量とを比較し、
前記比較手段の比較の結果、前記確定した現像剤残量と前記記憶手段に記憶されている現像剤残量との差の値が所定量より大きい場合、現像剤残量の確認のための所定の現像剤残量検出動作を行ない、
前記確認のための現像剤残量検出動作の結果においても前記比較手段の比較の結果、前記所定の現像剤残量検出動作による現像剤残量と前記記憶手段に記憶されている現像剤残量との差の値が所定量より大きい場合、画像形成装置及び／又はカートリッジの異常と判断し、
前記画像形成装置が備える情報表示部、或いは、前記画像形成装置と通信可能なディスプレイを有する機器に異常を判断したことを示す情報を出力する、ことを特徴と前記異常検知システムが提供される。


【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
上記本発明にて、一実施態様によると、前記現像剤残量の確定処理は、画像形成装置本体の電源投入時、及び、カートリッジ交換のためのドアクローズ時に行なわれるイニシャル回転中に検出された検出出力の値について確定処理を行ない、確認のための現像剤残量検出動作としてイニシャル回転を再度行ない、画像形成装置及び／又は前記カートリッジの異常と判断されない場合に画像形成装置がプリント可能となる。


【手続補正１０】
【補正対象書類名】明細書
【補正対象項目名】００１９
【補正方法】変更
【補正の内容】
【００１９】
本発明にて、他の実施態様によると、前記現像剤残量の確定処理は、画像形成装置本体の電源投入時、及び、カートリッジ交換のためのドアクローズ後に、カートリッジが従来使用されていたものから交換された場合のイニシャル回転中に検出された検出出力の値について確定処理を行ない、確認のための現像剤残量検出動作としてイニシャル回転を再度行ない、画像形成装置及び／又はカートリッジの異常と判断されない場合に画像形成装置がプリント可能となる。


【手続補正１１】
【補正対象書類名】明細書
【補正対象項目名】０１１７
【補正方法】変更
【補正の内容】
【０１１７】
【発明の効果】
以上説明したように、本発明の画像形成装置及び／又はカートリッジの異常検知システムによれば、
（Ａ）現像剤収納容器と、現像剤収納容器内の現像剤残量を逐次検知できる現像剤残量検知手段と、現像剤残量に係わる情報を記憶する記憶手段と、を有するカートリッジが着脱自在であり、現像剤残量検知手段からの検知出力を統計的手法により処理して現像剤残量として確定する処理手段と、統計的手法により確定した現像剤残量と記憶手段に記憶されている現像剤残量とを比較する比較手段と、を備えた画像形成装置における画像形成装置及び／又は前記画像形成装置に用いられるカートリッジの異常検知システムであって、
比較手段の比較の結果、統計的手法により確定した現像剤残量と記憶手段に記憶されている現像剤残量との差の値が所定量より大きい場合、現像剤残量の確認のための所定の現像剤残量検出動作を行ない、確認のための現像剤残量検出動作の結果においても比較手段の比較の結果、所定の現像剤残量検出動作による現像剤残量と記憶手段に記憶されている現像剤残量との差の値が所定量より大きい場合、画像形成装置及び／又は前記カートリッジの異常と判断し、画像形成装置が備える情報表示部、或いは、画像形成装置と通信可能なディスプレイを有する機器に異常を判断したことを示す情報を出力する構成とするか、
（Ｂ）現像剤収納容器と、現像剤収納容器内の現像剤残量を逐次検知できる現像剤残量検知手段と、現像剤残量に係わる情報を記憶する記憶手段と、を有するカートリッジが着脱自在であり、現像剤残量検知手段からの検知出力を第１の統計的手法により処理して現像剤残量を確定する処理手段と、第１の統計的手法により確定した現像剤残量と記憶手段に記憶されている現像剤残量とを比較する比較手段と、を備えた画像形成装置における画像形成装置及び／又は前記画像形成装置に用いられるカートリッジの異常検知システムであって、
現像剤残量検知手段の検知出力を、統計的手法とは異なる第２の統計的手法により、現像剤残量を確定処理し、確定した現像剤残量と記憶手段に記憶されている現像剤残量とを比較し、比較手段の比較の結果、確定した現像剤残量と記憶手段に記憶されている現像剤残量との差の値が所定量より大きい場合、現像剤残量の確認のための所定の現像剤残量検出動作を行ない、確認のための現像剤残量検出動作の結果においても比較手段の比較の結果、所定の現像剤残量検出動作による現像剤残量と前記記憶手段に記憶されている現像剤残量との差の値が所定量より大きい場合、画像形成装置及び／又はカートリッジの異常と判断し、画像形成装置が備える情報表示部、或いは、画像形成装置と通信可能なディスプレイを有する機器に異常を判断したことを示す情報を出力する構成とされるので、カートリッジ及び画像形成装置の異常検知を可能とし、異常が発生したカートリッジ及び画像形成装置が使用されることで更に甚大な破損に到ることを未然に防ぐことができる。


【手続補正１２】
【補正対象書類名】明細書
【補正対象項目名】０１１８
【補正方法】削除
【補正の内容】